(57)【特許請求の範囲】
【請求項１】
内周面に環状の受け部を有する胴、この胴の厚み方向一端部に取付けられたガラス、及び前記胴の厚み方向他端部に取付けられた裏蓋を備えるケースと、
外周面に係合部を有し、この係合部を前記受け部に前記裏蓋側から係合させるとともに前記内周面と前記外周面との間に隙間を形成して前記ケースに内蔵された中枠と、
この中枠の内側に支持されて前記ケースに内蔵されたムーブメントと、
弾性変形が可能で前記外周面から突出されるように前記中枠の複数個所に夫々取付けられ、前記内周面と前記外周面とで挟まれて前記隙間に一致するように弾性変形された複数の弾性体と、
を具備し、
前記中枠と前記裏蓋との間に弾性変形が可能な弾性部材が弾性変形された状態に挟まれ、
前記弾性部材が、
前記中枠の外周面と前記胴の内周面との間の隙間より肉薄であって、前記中枠の外周面の下部及びこれに連続した中枠の裏面である下部面に沿って配設される接続部位を介して、
前記弾性体と一体に形成されていることを特徴とする時計。
【請求項２】
前記中枠がその径方向に延びる取付け孔を複数有していて、前記弾性体が、前記取付け孔に挿入されるベースと、このベース及び前記取付け孔より大径でかつ前記ベースの一端に一体に設けられたヘッドとからなり、この弾性体が、前記取付け孔に前記ベースを挿入するとともに前記ヘッドを前記外周面より突出させて、前記中枠に取付けられていることを特徴とする請求項１に記載の時計。
【請求項３】
前記ベースが前記ヘッドを底とする中空部を有して円筒状をなしていて、この中空部が前記ベースの他端に開放されていることを特徴とする請求項２に記載の時計。
【請求項４】
前記ヘッドが半球状であることを特徴とする請求項２又は３に記載の時計。
【請求項５】
前記ムーブメントがスイッチを有していて、このムーブメントを操作する竜頭が前記ケースに取付けられているとともに、この竜頭の近傍に位置して前記スイッチをオン操作する押しボタンが前記ケースに取付けられていることを特徴とする請求項１から４のうちのいずれか一項に記載の時計。
【発明の詳細な説明】
【技術分野】
【０００１】
本発明は、ムーブメントが中枠を介してケース内に配設された携帯時計等の時計に関する。
【背景技術】
【０００２】
時計のムーブメントは一般的に中枠を介してケースに内蔵されているが、ムーブメントががたつくと、様々な不具合を招来する場合がある。
【０００３】
こうした事情から、舌片状の剛体部及び板ばね状の弾性体部を有した金属製の固定片をムーブメントにねじ止めし、この固定片の弾性体部の先端部を、ケースの内面に形成された凹部の平面状の受け面に圧接させて初期たわみを持った状態に凹部に収納するとともに、固定片の剛体部の先端部を前記受け面から離れた状態に凹部に収納することにより、ムーブメントのがたつきを防止して耐衝撃性を高めるようにした時計が、従来技術として知られている（例えば、特許文献１参照。）。
【０００４】
この従来技術に係る時計は、その落下時等に加わる衝撃に対して、まず、弾性体部が弾性変形して衝撃力を緩和してから、剛体部が凹部の受け面に接して衝撃を受けるので、ムーブメントのがたつきを防止できるとともに強度の衝撃にも耐えることが可能である。
【先行技術文献】
【特許文献】
【０００５】
【特許文献１】特開２０００−１６２３３２号公報
【発明の概要】
【発明が解決しようとする課題】
【０００６】
しかし、特許文献１に記載の技術は、時計の厚み方向へのムーブメントのがたつき防止には効果的であるが、時計落下時における時計の径方向へのムーブメントのがたつき防止については、さほど有効ではない。しかも、弾性体部の先端部が凹部に弾性的に圧接しているにも拘らず、長期にわたる使用に伴い板ばね状の弾性体部のばね性が劣化するので、その場合、ムーブメントが時計の径方向へがたつき易くなる。
【０００７】
こうしたがたつきがあると、ムーブメントへの衝撃が過大となって、ムーブメントが損傷する可能性が高まる。特に、ムーブメントが機械式のもので、このムーブメントを支える中枠が金属製である場合には、がたつく部品の総重量が増え、それに応じて時計落下時の衝撃力も増えるので、ムーブメントが損傷する可能性がより高められる。
【０００８】
ところで、ムーブメントを支持した中枠の外周面をケースの内周面に密に接触させて、これら内外周間の隙間をなくした構成とすれば、径方向へのムーブメントのがたつきは生じない。しかし、このようにすると、ケースへの中枠の組込みが困難となるだけはなく、分解が不可能となるため、現実的には、中枠の外周面とケースの内周面との間には嵌め合い隙間を設けざるを得ない。したがって、この隙間を原因とするムーブメントの径方向へのがたつきを有効に防止して、ムーブメントの耐衝撃性を高めることは難しい。
【０００９】
本発明の目的は、分解組立てが可能であるにも拘らず、ムーブメントの耐衝撃性を向上することが可能な時計を提供することにある。
【課題を解決するための手段】
【００１０】
本発明に係る時計は、内周面に環状の受け部を有する胴、この胴の厚み方向一端部に取付けられたガラス、及び前記胴の厚み方向他端部に取付けられた裏蓋を備えるケースと、外周面に係合部を有し、この係合部を前記受け部に前記裏蓋側から係合させるとともに前記内周面と前記外周面との間に隙間を形成して前記ケースに内蔵された中枠と、この中枠の内側に支持されて前記ケースに内蔵されたムーブメントと、弾性変形が可能で前記外周面から突出されるように前記中枠の複数個所に夫々取付けられ、前記内周面と前記外周面とで挟まれて前記隙間に一致するように弾性変形された複数の弾性体と、を具備している。
【００１１】
本発明で、胴の受け部は胴の内側に一体に突出された内向きの凸部又は段部等により形成することが可能であり、裏蓋は、ケースの内蔵物を透視可能とする透視部材を、有していても有していなくてもよい。更に、裏蓋が透視部材を有していて、この透視部材を通して中枠が視認可能なスケルトン形の時計として実施する場合、時計のデザイン性を更に向上するために、中枠の視認される面にメッキや彫金等の装飾要素を施すことが好ましい。
【００１２】
本発明で、中枠の係合部は、中枠の外周面から外側に突出された外向きの凸部又は段部等により形成することが可能である。本発明で、ムーブメントが機械式である場合、ムーブメント重量を原因として中枠等が変形・破損しないように、一般的に合成樹脂よりも堅牢性が高い金属で中枠を形成することが好ましい。しかし、合成樹脂で中枠を形成することも可能であり、この場合、金属と同等の強度を有する合成樹脂を採用すればよい。又、本発明では、ムーブメントに機械式のものを好適に使用できるが、機械式以外のムーブメントを用いることも可能である。
【００１３】
本発明で、複数の弾性体は、ジュラコン（商品名）のようなポリアセタール樹脂等の合成樹脂又は硬質ゴム等で形成することができる。本発明で、弾性体が、胴の内周面に対して点状に接触するのではなく、胴の内周面に沿って所定長さを持って接触する（言い換えれば、弾性体が平面的に見て円弧状をなす緩衝部位を有しており、この緩衝部位の形状に応じた長さで胴の内周面に沿って接触する）構成である場合、この弾性体は少なくとも二個用いればよい。こうした構成の弾性体を二個用いる場合は、これら二個の弾性体を中枠の周方向に１８０度隔てて中枠に配設すればよい。又、弾性体が胴の内周面に対して点状に接触する構成である場合、この弾性体を少なくとも三個用いるとともに、これらの弾性体を中枠の周方向に等間隔で配設することが好ましい。
【００１４】
更に、本発明で、弾性体は、胴の内周面と中枠の外周面とで挟まれる緩衝部位のみで形成して、中枠の外周面に接着して取付けることも可能である。しかし、弾性体は、中枠への取付け部位と、胴の内周面と中枠の外周面とで挟まれて弾性変形する緩衝部位とで形成される構成であることが、取付け部位の中枠への引っ掛かりによって、中枠から弾性体が外れ難くなる点で好ましい。又、前記緩衝部位は、中枠を胴内に挿入して組立てを行う際に、弾性体が胴の裏蓋側開口縁に引っ掛かり難くするために先細り状として、この緩衝部位が斜状のガイド面を有する構成とすることが好ましい。この場合、緩衝部位を、半球状、台形状、又は円錐台状等に形成すればよい。
【００１５】
又、本発明は、携帯時計例えば腕時計や懐中時計等に適用できるとともに、腕時計として実施する場合、機械式のムーブメントが内蔵されたダイバーズウォッチ形の腕時計として好適に実施することができる。
【００１６】
本発明では、ムーブメントを支持した中枠の外周面と、この中枠が内蔵されたケースが備えた胴の内周面との間に隙間が形成されているとともに、これら内周面と外周面とで挟まれた弾性体は弾性変形が可能である。そのため、胴に裏蓋が取付けられていない状態で、ムーブメントを支持した中枠を、各弾性体を弾性変形させながら胴内に対して着脱することが可能である。即ち、本発明に係る時計は分解組立てが可能である。
【００１７】
更に、本発明では、中枠の外周面と胴の内周面との間に隙間が形成されているにも拘らず、これら内周面と外周面とが中枠に取付けられた各弾性体を弾性変形された状態に挟んでいる。これにより、中枠及びこれに支持されたムーブメントが、前記隙間を原因として胴に対してこの胴の径方向に動くことが抑制される。これとともに、時計が落下した場合等、これに伴う衝撃を、各弾性体の弾性変形により緩和することが可能である。したがって、本発明に係る時計によればムーブメントの耐衝撃性を向上することが可能である。
【００１８】
本発明の好ましい形態では、前記中枠がその径方向に延びる取付け孔を複数有していて、前記弾性体が、前記取付け孔に挿入されるベースと、このベース及び前記取付け孔より大径でかつ前記ベースの一端に一体に設けられたヘッドとからなり、この弾性体が、前記取付け孔に前記ベースを挿入するとともに前記ヘッドを前記外周面より突出させて、前記中枠に取付けられていることを特徴としている。
この好ましい形態では、弾性体のベースを中枠の取付け孔に挿入するという簡単な手間で、ねじ止めや接着止めを要することなく、弾性体を中枠に取付けることが可能である。これとともに、ベースの中枠への引っ掛かりによって、中枠に取付けられた弾性体を外れ難くできる。
【００１９】
本発明の好ましい形態では、前記ベースが前記ヘッドを底とする中空部を有して円筒状をなしていて、この中空部が前記ベースの他端に開放されていることを特徴としている。
この好ましい形態では、中空部によってベースが弾性変形し易いので、中枠の取付け孔へのベースの挿入作業が容易であるとともに、ヘッドの底をなした中空部によってヘッドが弾性変形し易いので、時計を分解組立てする際、ムーブメントを支持した中枠を胴内に対して容易に着脱することが可能である。
【００２０】
本発明の好ましい形態では、前記ヘッドが半球状であることを特徴としている。
この好ましい形態では、弾性体が取付けられた中枠をムーブメントとともに胴内に挿入する際、各弾性体のヘッドが胴に引っ掛かり難い。これとともに、胴の内周面に対するヘッドの接触が点状で胴の内周面に対するヘッドの摩擦抵抗が小さい。したがって、中枠を胴内に対して容易に着脱することが可能である。
【００２１】
本発明の好ましい形態では、前記中枠と前記裏蓋との間に弾性変形が可能な弾性部材が弾性変形された状態に挟まれていることを特徴としている。
この好ましい形態において、弾性部材は中枠又は裏蓋のいずれかに取付ければよい。この弾性部材の使用数は、弾性部材を環状とする場合には一個でよく、弾性部材が所定長さの円弧状を呈して裏蓋又は中枠に接する場合には少なくとも二個あればよく、弾性部材が裏蓋又は中枠に点状に接する場合には少なくとも三個あればよい。又、弾性部材を二個以上又は三個以上使用する場合の配置は、弾性体を二個以上又は三個以上使用する場合の配置と同様にすればよい。
この好ましい形態では、弾性体による胴の径方向への中枠の動き止めに加えて、弾性部材によって中枠の係合部が胴の受け部に押付けられた状態に保持されて、中枠が胴の厚み方向に動くことを抑制できる。これとともに、落下等に伴う衝撃を各弾性部材の弾性変形により緩和することが可能である。したがって、中枠に支持されたムーブメントの耐衝撃性を更に向上することが可能である。
【００２２】
又、本発明の好ましい形態では、前記弾性部材が前記中枠に設けた取付け穴に挿入して取付けられていることを特徴としている。
この好ましい形態では、全ての弾性体及び弾性部材が中枠に取付けられているので、時計の組立てにおいて、弾性体及び弾性部材の使用個数の確認をする場合、中枠の他に裏蓋を用意して確認する必要がなく、前記確認作業を容易に行うことが可能である。
【００２３】
又、本発明の好ましい形態では、前記取付け穴及び前記取付け孔が同径であるとともに、前記弾性体及び前記弾性部材が同一の構成であることを特徴としている。
この好ましい形態では、同一の成形型で成形した各弾性体及び各弾性部材を使用できるとともに、これらが取付けられる各取付け孔及び各取付け穴を同一の穴開け工具を用いて中枠に加工することが可能である。
【００２４】
又、本発明の好ましい形態では、前記弾性部材が前記弾性体と一体に形成されていることを特徴としている。
この好ましい形態では、胴の径方向への中枠の動き止めを担う弾性体と、胴の厚み方向への中枠の動き止めを担う弾性部材が一体であるので、中枠の動き止めを担う部品数を削減することができる。
【００２５】
又、本発明の好ましい形態では、前記ムーブメントがスイッチを有していて、このムーブメントを操作する竜頭が前記ケースに取付けられているとともに、この竜頭の近傍に位置して前記スイッチをオン操作する押しボタンが前記ケースに取付けられていることを特徴としている。
この好ましい形態では、竜頭の押し引き操作に拘らず、ムーブメントがケース内で径方向に移動することが複数の弾性体で抑制されて、このムーブメントのスイッチと押しボタンの位置関係を適正に保つことができる。そのため、押しボタンに与えられた所定の機能を、このボタンの押込み操作によって確実に発揮させることが可能である。
【発明の効果】
【００２６】
本発明によれば、分解組立てが可能であるにも拘らず、ムーブメントの耐衝撃性を向上することが可能な時計を提供できる。
【図面の簡単な説明】
【００２７】
【図１】本発明の第１実施形態に係る腕時計を示す正面図である。
【図２】図１の腕時計の一部を示す断面図である。
【図３】図２とは異なる位置で図１の腕時計の一部を示す断面図である。
【図４】図１の腕時計が備えた中枠をこれに取付けられた弾性体とともに表側から見て示す斜視図である。
【図５】図１の腕時計が備えた中枠をこれに取付けられた弾性体及び弾性部材とともに裏側から見て示す斜視図である。
【図６】本発明の第２実施形態に係る腕時計の一部を示す断面図である。
【発明を実施するための形態】
【００２８】
以下、本発明の第１実施形態について、図１〜図５を参照して詳細に説明する。
図１中符号１は時計例えば携帯式計具体的には腕時計を示している。この腕時計１は時計本体２に腕装着用の部材例えばバンド３を取付けて形成されている。図２及び図３に示すように時計本体２は、ケース５と、中枠１５と、ムーブメント２１と、複数の弾性体２５と、弾性部材２７と、竜頭３１（図１参照）と、押しボタン３５（図１参照）を備えている。
【００２９】
ケース５は胴６にガラス７と裏蓋８を組み合わせて形成されている。胴６は、金属製であり、円形の内周面６ａを有している。胴６の内周面６ａに受け部６ｂが一体に形成されている。受け部６ｂは胴６の内側に向けて内周面６ａから突出された内向き凸部で形成されている。これとともに受け部６ｂは内周面６ａに沿って周方向に切れ目なく連続する環状をなしている。
【００３０】
ガラス７は、その周部を、胴６の表側端部に周方向に切れ目なく連続して形成された環状溝６ｃに嵌合されて、胴６の厚み方向一端部を閉じて装着されている。裏蓋８は、胴６の裏側端部に形成された雌ねじ部にねじ込まれて、胴６の厚み方向一端部を閉じて装着されている。裏蓋８は、その周部をなすとともに雄ねじ部を有した金属製のリング部材９と、このリング部材９に嵌め込んで装着された透視部材１０を有している。
【００３１】
そのため、腕時計１は、透視部材１０を通してケース５の内部を覗き見ることが可能なスクルトン形に形成されている。透視部材１０はガラス製である。なお、図２及び図３中符号１１は胴６と裏蓋８との間に挟み込まれたシール用の円環形パッキンを示している。
【００３２】
中枠１５は、金属製であり、図４及び図５に示すように円環形をなしている。この中枠１５の円形の外周面１５ａに係合部１５ｂが一体に形成されている。係合部１５ｂは例えば外側に向けて外周面１５ａから突出された外向き凸部で形成されているとともに、係合部１５ｂは外周面１５ａに沿って周方向に切れ目なく連続する環状をなしている。更に、係合部１５ｂは、中枠１５の上部、つまりガラス７側に寄せて設けられている。この係合部１５ｂは受け部６ｂに裏蓋側から係合されるようになっている。中枠１５の最大径をなした係合部１５ｂの径は、受け部６ｂの内径より大きいとともに内周面６ａの径と略同じである。中枠１５の外周面１５ａの径は、胴６の内周面６ａの径より小さい。
【００３３】
図２及び図３に示すように中枠１５の上部内周面に支持部１５ｃが設けられている。支持部１５ｃは周方向に切れ目なく連続する環状の段差からなる。中枠１５は、その係合部１５ｂを胴６の受け部６ｂに裏側から引っ掛かった状態に接触（係合）させて胴６に内蔵されている。胴６に内蔵された中枠１５外周面１５ａと胴６の内周面６ａとの間に隙間Ｇが形成されているとともに、中枠１５の下部は裏蓋８のリング部材９を逃げている。更に、胴６に内蔵された中枠１５の下端面１５ｄの少なくとも一部は透視部材１０に対向されている。
【００３４】
中枠１５はその下部に複数例えば４個の取付け孔１７を有している。これら取付け孔１７は、係合部１５ｂより下側に位置されていて、中枠１５の周方向に間隔的好ましくは等間隔に設けられている。各取付け孔１７は、例えば円形の孔からなり、中枠１５の径方向に延びていて、その両端は中枠１５の内周面及び外周面１５ａに夫々開放されている。
【００３５】
中枠１５はその下部に複数例えば４個の取付け穴１８を有している。これら取付け穴１８は、係合部１５ｂより下側に位置されていて、中枠１５の周方向に間隔的好ましくは等間隔に設けられている。図４及び図５に示すように各取付け穴１８と各取付け孔１７とは中枠１５の周方向にずれている。これとともに、各取付け穴１８は、中枠１５の厚み方向に延びる円形の穴からなり、それらの下端は、裏蓋８のリング部材９の上面９ａに近接して対向された中枠１５の下部面１５ｅに開放されている。各取付け穴１８の径と各取付け孔１７の径は同じである。なお、下部面１５ｅは中枠１５の下端面１５ｄより高い位置に設けられている。又、図４及び図５中符号１９は巻真逃げ溝を示している。
【００３６】
ムーブメント２１は機械式のムーブメントである。このムーブメント２１の具体的構成は本発明とは関係がなく、図２及び図３の理解を容易にするために、これらの図ではムーブメント２１をブロックとしてかつハッチングを付して描かれている。
【００３７】
ムーブメント２１は、その外周部に周方向に連続して設けた凸部２２を中枠１５の支持部１５ｃに上方（ガラス側）から引掛けて中枠１５の内側に支持されている。このムーブメント２１は文字板２３を備えている。又、ムーブメント２１は、押された期間だけオン状態となるスイッチ（図示しない）を有している。このスイッチがオンすることにより、所定の機能例えば文字板２３の照明などが行われるようになっている。
【００３８】
なお、ムーブメント２１の周部下面２１ａ及びこの下面を囲んだ中枠１５の下端面１５ｄに、彫金加工（図示しない）が施されている。それにより、ムーブメント２１の動作が透視部材１０を通して視認される際に、彫金加工面である周部下面２１ａ及び下端面１５ｄがともに視認されて、腕時計１のデザイン性が高められるようになっている。しかし、これら加飾用の職彫金加工は省略してもよい。
【００３９】
各弾性体２５は、弾性変形が可能なジュラコン（商品名）又は硬質ゴム等の一体成形品であり、取付け部位をなすベース２５ａと、このベース２５ａの一端に設けられて緩衝部位をなすヘッド２５ｂとからなる。ベース２５ａの軸方向と直交する方向の断面の形状は、取付け孔１７の断面形状に合致しており、例えば円形である。これとともに、ベース２５ａの軸方向の長さは取付け孔１７の長さより短い。
【００４０】
ベース２５ａは、中空部２５ｃを有していて、円筒状をなしている。この中空部２５ｃは、ヘッド２５ｂを底として形成されているとともに、ベース２５ａの他端に開放されている。ヘッド２５ｂは、ベース２５ａ及び取付け孔１７より大径な半球状に形成されている。
【００４１】
これら弾性体２５は、そのヘッド２５ｂの裏面が中枠１５の外周面１５ａに接するまで、ベース２５ａを中枠１５の外側から取付け孔１７に密に挿入することによって、中枠１５に取付けられている。この取付けにおいて、中空部２５ｃがあることにより、ベース２５ａが中実（無垢）である場合に比較して、ベース２５ａが容易に弾性変形して取付け孔１７に挿入されるので、中枠１５への弾性体２５の取付けが容易である。この取付け後に、ベース２５ａは弾性変形された状態を保持して取付け孔１７の内面に密接されるので、弾性体２５が不用意に取付け孔１７から外れないように保持される。
【００４２】
以上のように弾性体２５のヘッド２５ｂが中枠１５の外周面１５ａに接するまで、弾性体２５のベース２５ａを中枠１５の取付け孔１７に中枠１５の外部から挿入するという手間で、ねじ止めや接着止めを要することなく、簡単に弾性体２５を中枠１５に取付けることが可能である。しかも、ベース２５ａが円筒状でかつヘッド２５ｂが半球状であるので、弾性体２５を円形の取付け孔１７に挿入するに際して周方向の方向性がなく、したがって、この点においても中枠１５への弾性体２５の取付けが容易である。
【００４３】
各弾性体２５が中枠１５に取付けられた状態で、半球状のヘッド２５ｂは、その周縁から中心に行くに従って中枠１５の外周面１５ａに対する突出長さＡが長くなるように先細り状になっている。中枠１５がケース５に内蔵される前の状態での前記突出長さＡは、前記隙間Ｇより長く設定されている。そのため、各弾性体２５のヘッド２５ｂの先端を通って描かれる円（図示しない）の直径は、係合部１５ｂの径及び胴６の内周面６ａの径より大きい。
【００４４】
各弾性部材２７は、弾性体２５と同様に弾性変形が可能なジュラコン（商品名）又は硬質ゴム等の一体成形品であり、ベース２７ａと、このベース２７ａの一端に設けられたヘッド２７ｂとからなる。ベース２７ａの軸方向と直交する方向の断面の形状は、取付け穴１８の断面形状に合致しており、例えば円形である。これとともに、このベース２７ａの軸方向の長さは取付け穴１８の長さより短い。
【００４５】
ベース２７ａは、中空部２７ｃを有していて、円筒状をなしている。この中空部２７ｃは、ヘッド２７ｂを底として形成されているとともに、ベース２７ａの他端に開放されている。ヘッド２７ｂは、ベース２７ａ及び取付け穴１８より大径な半球状に形成されている。
【００４６】
これらの弾性部材２７と各弾性体２５とは同一構造である。それによって、部品製造の容易化を実現している。つまり、同一の成形型で成形した各弾性体２５と各弾性部材２７を使用できるとともに、これらが挿入して取付けられる各取付け孔１７及び各取付け穴１８を同一の穴開け工具を用いて中枠１５に加工することができる。
【００４７】
これら弾性部材２７は、そのヘッド２７ｂの裏面が中枠１５の下部面１５ｅに接するまで、ベース２７ａを中枠１５の外側から取付け穴１８に密に挿入することによって、中枠１５に取付けられている。この取付けにおいて、中空部２７ｃがあることにより、ベース２７ａが中実（無垢）である場合に比較して、ベース２７ａは容易に弾性変形して取付け穴１８に挿入されるので、中枠１５への弾性部材２７の取付けが容易である。この取付け後に、ベース２７ａが弾性変形された状態を保持して取付け穴１８の内面に密接されるので、弾性部材２７は不用意に取付け穴１８から外れないように保持される。
【００４８】
以上のように弾性部材２７のヘッド２７ｂが中枠１５の下部面１５ｅに接するまで、弾性部材２７のベース２７ａを中枠１５の取付け穴１８に中枠１５の外部から挿入するという手間で、ねじ止めや接着止めを要することなく、簡単に弾性部材２７を中枠１５に取付けることが可能である。しかも、ベース２７ａが円筒状でかつヘッド２７ｂが半球状であるので、弾性部材２７を取付け穴１８に挿入するに際して周方向の方向性がなく、したがって、この点においても中枠１５への弾性部材２７の取付けが容易である。
【００４９】
各弾性体２５及び各弾性部材２７が取付けられた中枠１５は、その内側にムーブメント２１を支持した状態で、裏蓋８が取付けられていない状態の胴６内に、裏蓋８が取付けられる側から挿入してケース５に内蔵される。この挿入深さは、中枠１５の係合部１５ｂが胴６の受け部６ｂに接することにより決められる。
【００５０】
前記組込み操作によって、各弾性体２５のヘッド２５ｂが、胴６の内周面６ａと中枠１５の外周面１５ａとで挟まれて、これら内周面６ａと外周面１５ａとの間の隙間Ｇに一致するように圧縮され弾性変形された状態に保持される。それにより、中枠１５がその径方向にケース５の胴６に対してがたつくことが抑制されるように中枠１５が組み込まれる。図２中符号Ｂはヘッド２５ｂが弾性変形して圧縮された寸法（これを締め代ともいう。）を示している。
【００５１】
以上のように胴６に組み込まれたた中枠１５の外周面１５ａと、胴６の内周面６ａとの間には隙間Ｇが形成されているとともに、これら内周面６ａと外周面１５ａとで挟まれた各弾性体２５のヘッド２５ｂは弾性変形が可能である。そのため、裏蓋８が取付けられていない状態で、ムーブメント２１を支持した中枠１５を、これに取付けられている各弾性体２５のヘッド２５ｂを弾性変形させながら胴６内に対して着脱することが可能である。即ち、この腕時計１は分解組立てが可能である。
【００５２】
各弾性体２５が有した中空部２５ｃはヘッド２５ｂの底をなしているので、ベース２５ａが中実（無垢）である場合に比較して、前記組込みの際、ヘッド２５ｂは弾性変形し易い。これにより、弾性体２５が取付けられているとともにムーブメント２１を支持した中枠１５を、胴６内に対して容易に組み込むことが可能である。又、同様の理由から、腕時計１を分解する際、弾性体２５付きの中枠１５をムーブメント２１とともに胴６内から容易に取外すことが可能である。
【００５３】
しかも、各弾性体２５のヘッド２５ｂが半球状であるので、弾性体２５付きの中枠１５を胴６内に挿入する際、各弾性体２５のヘッド２５ｂが胴６の裏蓋側開口縁に引っ掛かり難い。これとともに、胴６の内周面６ａに対するヘッド２５ｂの接触が点状であるので、線状に接触する場合に比較して内周面６ａに対するヘッド２５ｂの摩擦抵抗が小さい。したがって、これらの点においても弾性体２５付の中枠１５を胴６内に容易に組み込むことが可能である。又、前記のように摩擦抵抗が小さいことにより、腕時計１を分解する際に、弾性体２５付の中枠１５を胴６内から容易に取外すことが可能である。
【００５４】
中枠１５の組込み後に胴６に裏蓋８がねじ込んで取付けられて、ケース５が組立てられる。この組立てによって、裏蓋８のリング部材９が各弾性部材２７のヘッド２７ｂを押すので、これらのヘッド２７ｂが、中枠１５の下部面１５ｅとリング部材９の上面９ａとで挟まれて、弾性変形された状態に保持される。それにより、受け部６ｂに係合部１５ｂが押付けられるとともに、中枠１５がその厚み方向にケース５に対してがたつくことを抑制された状態に保持される。図３中符号Ｃはヘッド２７ｂが弾性変形して圧縮された寸法（これを締め代ともいう。）を示している。
【００５５】
既述のように分解組立てが可能な腕時計１は、その中枠１５の外周面１５ａと胴６の内周面６ａとの間に隙間Ｇが形成されているにも拘らず、ムーブメント２１の耐衝撃性を向上できる。
【００５６】
即ち、内周面６ａと外周面１５ａとが中枠１５に取付けられた各弾性体２５のヘッド２５ｂを弾性変形させた状態に挟んでいるので、これらヘッド２５ｂがスペーサとして機能する。このため、中枠１５及びこれに支持されたムーブメント２１が、隙間Ｇを原因として胴６に対してこの胴６の径方向に動くことが抑制される。更に、締め代を有した各弾性体２５のヘッド２５ｂは弾性変形が可能であるので、腕時計１が落下した場合等、これに伴う胴６の径方向に沿う衝撃を、ヘッド２５ｂの弾性変形により緩和することが可能である。
【００５７】
更に、腕時計１はムーブメント２１を支持した中枠１５と、ケース５の裏蓋８との間に弾性変形された状態に挟まれた弾性部材２７を備えている。これら弾性部材２７によって、中枠１５が胴６の厚み方向に不用意に動くことが抑制されるとともに、腕時計１が落下した場合等、これに伴う胴６の厚み方向に沿う衝撃を、各弾性部材２７のヘッド２７ｂの弾性変形により緩和することが可能である。
【００５８】
したがって、前記構成の腕時計１によれば、中枠１５が金属製でかつムーブメント２１が機械式であって、それらの重量が重いにも拘らず、ムーブメント２１の耐衝撃性を向上することができる。しかも、各弾性体２５及び各弾性部材２７は、いずれも金属の板ばねではなく、圧縮されつつ弾性変形するので、長期にわたり弾性が低下することがなく、へたり難い。そのため、既述の耐衝撃性を長期間保持することが可能である。
【００５９】
又、図１に示すようにケース５にはその外部から操作ができるように竜頭３１と押しボタン３５が設けられている。竜頭３１は図示しない巻真を介してムーブメント２１に接続されている。この竜頭３１は回転操作及び押し引き操作が可能である。竜頭３１の操作によりムーブメント２１の時刻や日付の調整等が行われる。押しボタン３５は竜頭３１の近傍に位置して押込み可能に配設されている。この押しボタン３５を押込むことで、ムーブメント２１が有した図示しないスイッチがオンされるようになっている。
【００６０】
竜頭３１の押込み操作力は押しボタン３５の押込み操作力よりも一般的に大きく、これらはケース５の中心に向けて押込まれる。それにより、竜頭３１の押し引き操作に伴ってケース５内でムーブメント２１が前記隙間Ｇを原因として３時方向又は９時方向に動くことがあると、ムーブメント２１のスイッチ位置が押しボタン３５に対して変化して、押込みボタン３５が押し込まれても、スイッチが正常に動作れてない可能性がある。
【００６１】
しかし、既述のようにムーブメント２１を支持した中枠１５は、複数の弾性体２５のヘッド２５ｂで胴６の径方向に動かないように保持されている。これにより、竜頭３１の押し引き操作に拘らず、ムーブメント２１のスイッチの位置が適正位置からずれることが抑制される。したがって、押しボタン３５が押込み操作された際に、確実にスイッチをオンさせることが可能である。
【００６２】
又、腕時計１の製造において、同じムーブメント２１を使用するとともに、ケース５の大きさが異なる様々な機種を製造する場合がある。この場合、ケースの大きさに適合する大きさの中枠を用意しなければならない。しかし、この中枠の外周面とケースの胴の内周面との間の間隙を、既述の構成の腕時計１の隙間Ｇと同じとする大きさの中枠を用意することで、この中枠に取付けられる複数の弾性体を、既述の構成の腕時計１で用いた弾性体２５と同じにできる。
【００６３】
これにより、同一の成形型を用いて成形された弾性体２５を、ケース５の大きさが異なる複数の機種の腕時計に共通して使用可能な部品とできる。したがって、多種の時計製造において必要とする部品数の増加を抑制できるので、部品管理等が容易になるに伴って、製造コストを低減することが可能である。
【００６４】
図６は本発明の第２実施形態を示している。この第２実施形態は以下説明する事項以外は第１実施形態と同じであるため、第１実施形態と同じ構成又は同様な機能を担う構成については、第１実施形態と同じ符号を付してその説明を省略する。
【００６５】
第２実施形態では、弾性体２５と弾性部材２７とが一体に形成されている。つまり、弾性体２５と弾性部材２７は、一端が弾性体２５のヘッド２５ｂに一体に接続されるとともに他端が弾性部材２７に一体に接続された接続部位２９を介して一体に形成されている。この接続部位２９は、隙間Ｇより薄肉であって、中枠１５の外周面１５ａの下部及びこれに連続した中枠１５の裏面である下部面１５ｅに沿って配設されている。又、第２実施形態では弾性部材２７が無垢の半球状に形成されている。この弾性部材２７は、第１実施形態で説明した弾性部材のヘッドに相当する。
【００６６】
第２実施形態に係る腕時計１において、以上説明した事項以外の構成は、図６に示されない構成を含めて第１実施形態と同じである。したがって、第２実施形態の腕時計は、第１実施形態と同様な作用を得ることができるので、第１実施形態で既に説明した理由によって、分解組立てが可能であるにも拘らず、ムーブメント２１の耐衝撃性を向上することが可能である。
【００６７】
加えて、第２実施形態では、胴６の径方向への中枠１５の動き止めを担う弾性体２５と、胴６の厚み方向への中枠１５の動き止めを担う弾性部材２７が一体であるので、腕時計１が落下した場合等に中枠１５の動き止めを担う部品数を削減することができる。これにより、部品管理等が容易になるに伴って、製造コストを低減することが可能である。
【００６８】
しかも、弾性部材２７は、中枠１５の下部面１５ｅに重なっているとともに接続部位２９により保持されているので、弾性部材２７を中枠１５に保持するために、中枠１５に挿入して保持する必要がない。そのため、弾性部材２７を保持するための取付け穴を中枠１５に要しないとともに、取付け穴に挿入して取付ける手間も不要であるので、この点でもコストダウンを図ることができる。
【符号の説明】
【００６９】
１…腕時計（時計）
５…ケース
６…胴
６ａ…胴の内周面
６ｂ…受け部
７…ガラス
８…裏蓋
１５…中枠
１５ａ…中枠の外周面
１５ｂ…係合部
Ｇ…隙間
１７…取付け孔
１８…取付け穴
２１…ムーブメント
２５…弾性体
２５ａ…ベース
２５ｂ…ヘッド
２５ｃ…中空部
２７…弾性部材
【図１】
0005588314.tif 000002
【図２】
0005588314.tif 000003
【図３】
0005588314.tif 000004
【図４】
0005588314.tif 000005
【図５】
0005588314.tif 000006
【図６】
0005588314.tif 000007